(57)【特許請求の範囲】
【請求項１】
状態表示部Ｃを間にして開き用の押しボタン部と閉じ用の押しボタン部を配設したトイレ用ドア開閉スイッチにおいて、
前記開き用及び閉じ用の各押しボタン部は、色彩の異なる着色部Ａ，Ｂを有し、トイレ内が空室の待機時には前記状態表示部Ｃを非表記にするとともに前記開き用の押しボタン部の着色部Ａを点灯、前記閉じ用の押しボタン部の着色部Ｂを消灯させておき、トイレ内に在室の使用時には前記開き用及び閉じ用の各押しボタン部の着色部Ａ，Ｂを消灯させて前記状態表示部Ｃを点灯表記させ「使用中」であることが表示されるようにして、退室時には前記状態表示部Ｃを非表記にするとともに前記閉じ用の押しボタン部の着色部Ｂを点灯、前記開き用の押しボタン部の着色部Ａを消灯させることを特徴とするトイレ用ドア開閉スイッチ。
【請求項２】
前記開き用の押しボタン部の着色部Ａには少なくとも文字「開」が表記され、前記閉じ用の押しボタン部の着色部Ｂには少なくとも文字「閉」が表記されていることを特徴とする請求項１記載のトイレ用ドア開閉スイッチ。
【発明の詳細な説明】
【技術分野】
【０００１】
本発明はトイレ用ドア開閉スイッチ、詳しくは病院や駅構内などに設置されるトイレに構築された自動ドアを開閉させるためのスイッチに関する。
【背景技術】
【０００２】
従来知られたトイレ用ドア開閉スイッチの概要を説明するために特許文献１の特開平７−２９３１１０号公報を例示すると、特許文献１の図１に示すように、トイレ１には、その間口１ａに設けられる自動開閉式のドア２と、該間口１ａ付近の室外面に取付けられ前記ドア２を開閉操作する室外用スイッチ３と、室内に取付けられ前記ドア２を開閉操作する室内用スイッチ４と、前記ドア２の開閉動作を規制するロック機構２ｂとを備えているものである。
【０００３】
そして、特許文献１の図３に開示されるように、室外用スイッチ３は、外部開スイッチ３ａ、外部閉スイッチ３ｂ及び使用中ランプ３ｃを有し、その外部開スイッチ３ａを操作すると前記ドア２が開き、外部閉スイッチ３ｂを操作するとドア２が閉じるように設定されている。
また、室内用スイッチ４は、内部開スイッチ４ａ、内部閉スイッチ４ｂ及び施錠中ランプ４ｃを有し、その内部開スイッチ４ａを操作すると前記ドア２が開き、内部閉スイッチ４ｂを操作するとドア２が閉じるように設定されている。
ロック機構２ｂは、前記室内用スイッチ４の内部閉スイッチ４ｂを操作してドア２を閉じた際に該ドア２を自動的に施錠し、前記内部開スイッチ４ａを操作してドア２を開ける際に自動的に解錠するものである。
さらに、前記室内用スイッチ４の内部閉スイッチ４ｂを操作してドア２を閉じ、前記ロック機構２ｂが施錠されたときに、室外用スイッチ３の使用中ランプ３ｃ及び室内用スイッチ４の施錠中ランプ４ｃが点灯するように設定されている。
【先行技術文献】
【特許文献】
【０００４】
【特許文献１】特開平７−２９３１１０号公報
【発明の概要】
【発明が解決しようとする課題】
【０００５】
上記ドア開閉スイッチは、その室外用スイッチ３、室内用スイッチ４のいずれも、開スイッチ３ａ，４ａに文字「開」が表記され、閉スイッチ３ｂ，４ｂに文字「閉」が表記されており、使用者は、使用中ランプ３ｃ等で確認できる室内状態に応じて操作（押ボタン操作）すべき開スイッチ３ａ，４ａ又は閉スイッチ３ｂ，４ｂを判断できるようにしている。
しかしながら、上記スイッチ、特に室外用スイッチ３は表記部分が離れた位置から見難く、使用中ランプ３ｃ等の室内状態表示は、その表示が小さいためにトイレから離れた位置で容易に確認し難しく、また、使用者がトイレから退室するときに室外用スイッチ３の閉スイッチ３ｂを押し忘れ、ドア２が開いたままとなる等の不具合があった。
【０００６】
本発明は、上記従来事情に鑑みて、ドア開閉スイッチの色彩の異なる表記部分を適時に点灯させることにより、次に操作すべきスイッチ部分を指示する、すなわち、点灯による発光アシスト機能を付与し、しかも、スイッチ各表記部分の視認性を高めるとともに意匠的効果を高めることを目的とする。
【課題を解決するための手段】
【０００７】
斯る本発明は、状態表示部Ｃを間にして開き用の押しボタン部と閉じ用の押しボタン部を配設したトイレ用ドア開閉スイッチにおいて、前記開き用及び閉じ用の各押しボタン部は、色彩の異なる着色部Ａ，Ｂを有し、トイレ内が空室の待機時には前記状態表示部Ｃを非表記にするとともに前記開き用の押しボタン部の着色部Ａを点灯、前記閉じ用の押しボタン部の着色部Ｂを消灯させておき、トイレ内に在室の使用時には前記開き用及び閉じ用の各押しボタン部の着色部Ａ，Ｂを消灯させて前記状態表示部Ｃを点灯表記させ「使用中」であることが表示されるようにして、退室時には前記状態表示部Ｃを非表記にするとともに前記閉じ用の押しボタン部の着色部Ｂを点灯、前記開き用の押しボタン部の着色部Ａを消灯させることを特徴とする。
【０００８】
なお、従来と同様に、前記開き用の押しボタン部の着色部Ａには少なくとも文字「開」が表記され、前記閉じ用の押しボタン部の着色部Ｂには少なくとも文字「閉」が表記されているようにする。それにより、各押しボタン部の着色部Ａ，Ｂ、状態表示部Ｃの指標性を高めてトイレ利用者の誤操作を防止するなど利便性を向上させる。
【発明の効果】
【０００９】
本発明によれば、開き用押しボタン部の着色部Ａ、閉じ用押しボタン部の着色部Ｂ及び状態表示部Ｃをトイレ内の状態に応じて適時に点灯または消灯させるので、スイッチとしての操作アシスト機能が付与されトイレ利用者の利便性を高めることができる。
【図面の簡単な説明】
【００１０】
【図１】本発明のドア開閉スイッチを示す斜視図である。
【図２】各部を詳細に説明する正面図である。
【図３】使用状況を説明する正面図であり、（ａ）は待機時、（ｂ）はトイレ使用時、（ｃ）は退室時の各状態を示す。
【発明を実施するための形態】
【００１１】
本発明の実施の形態を図面により説明すれば、図１において本発明のドア開閉スイッチＳＷの全体を示すが、その用途、使用については前述した特許文献１の説明と同様であり、同スイッチＳＷはトイレ用ドアの室外用スイッチとして使用される場合を示している。
【００１２】
図１及び図２に示すとおり、スイッチＳＷは、状態表示部Ｃを間にしてその両側に開き用押しボタン部１、閉じ用押しボタン部２が取り付けられている。
このスイッチＳＷは、押しボタン部１を押すことによりトイレ用ドアが開き、押しボタン部２を押すことによりドアが閉じるようになっており、中央部の状態表示部Ｃはトイレ内の状況、つまりトイレ内に利用者が在室しているかどうか（空室、在室）を表示するようにしている。
【００１３】
上記押しボタン部１には略中央部に着色部Ａが形成され、押しボタン部２にも着色部Ｂが形成され、両着色部Ａ、Ｂは異なる色彩で着色されている。具体的には、着色部Ａ、Ｂは、透光材に異なる色彩を付した部分で、スイッチ内部の光源（ＬＥＤ）を点灯、消灯させることにより各着色部の明るさ（点灯色、消灯色）が変化するものである。
着色部Ａには、文字「開」及び「ＯＰＥＮ」が表記されており、着色部Ｂには文字「閉」及び「ＣＬＯＳＥ」が表記されており、各着色部Ａ，Ｂが点灯されたときには前記文字も明るく表示される。
【００１４】
状態表示部Ｃには、消灯時には表示されない程度（非表記）の薄い文字「使用中」及び「ＯＣＣＵＰＩＥＤ」が形成され、内部の光源を点灯することにより、それら文字が表示されるようにしている（表記）。
【００１５】
上記スイッチＳＷの使用法を図３により説明する。
トイレ内に利用者が入室していない待機時（空室）には、図３（ａ）に示すように、開き用押しボタン部１の着色部Ａが点灯して、着色部Ａは明るい点灯色になるとともに文字「開」及び「ＯＰＥＮ」も明るく表示され、閉じ用押しボタン２の着色部Ｂは消灯色、状態表示部Ｃは文字「使用中」及び「ＯＣＣＵＰＩＥＤ」が表示されない非表記の状態である。したがって、トイレ利用予定者は、離れた位置からもスイッチＳＷの点灯状態をみてトイレ内が空室であることを認識することができる。
【００１６】
そして、トイレ利用者がスイッチＳＷの押しボタン部１を押してドアを開き、トイレ内に入って室内用スイッチ（図示せず）の閉じ用押しボタン部を押したときに前述したようにドアが施錠されるが、それに伴って、スイッチＳＷは、使用時（在室）を表示する図３（ｂ）に変化する。すなわち、押しボタン部１及び２の何れも消灯し、状態表示部Ｃが文字「使用中」及び「ＯＣＣＵＰＩＥＤ」が表示された状態である。それにより、トイレ利用予定者はスイッチＳＷの点灯状態をみて、トイレが使用中であることを認識することができる。
【００１７】
さらに、トイレ利用者が室内から退出するときに、図示しない室内用スイッチの開き用押しボタン部を押してドアを開いたときに、スイッチＳＷは、退室時を表示する図３（ｃ）に変化する。すなわち、室内用スイッチの開き用押しボタン部を押すことによりドアの施錠が開錠されるので状態表示部Ｃが非表記の状態になるとともに閉じ用押しボタン部２の着色部Ｂが点灯し、着色部Ｂは明るい点灯色になり、文字「閉」及び「ＣＬＯＳＥ」も明るく表示された状態である。それにより、トイレから退出する利用者は着色部Ｂが点灯していることにより該閉じ用押しボタン部２の操作を促されていることを理解でき、その閉じ用押しボタン部２を押すことによってドアが閉じてスイッチＳＷは図３（ａ）の待機時状態に戻る。したがって、閉じ用押しボタン部２の操作し忘れによるドアの閉め忘れを防止することもできる。
【００１８】
なお、上記説明においては、スイッチＳＷの着色部Ａ、Ｂ、状態表示部Ｃについて点灯、消灯させることを説明したが、その点灯には、一般的に使用されているように点滅する点灯状態を包含するものである。
【符号の説明】
【００１９】
ＳＷ：ドア開閉スイッチ
１：開き用押しボタン部
２：閉じ用押しボタン部
Ａ：着色部
Ｂ：着色部
Ｃ：状態表示部
【図１】
0005902488.tif 000002
【図２】
0005902488.tif 000003
【図３】
0005902488.tif 000004